(57)【特許請求の範囲】
【請求項１】
操作入力部と、
前記操作入力部を跨いで配されるパームレスト部と、
前記操作入力部と前記パームレスト部とが保持される固定部と、を備え、
前記パームレスト部は、前記操作入力部を跨ぐ跨部と、前記跨部の両端にそれぞれ形成され、かつ、前記固定部と接合される第１脚部および第２脚部と、を有し、
前記固定部における前記パームレスト部が保持された面に設けられ、前記第２脚部と並設されるタッチパネルをさらに備える入力装置。
【請求項２】
前記パームレスト部における前記第２脚部の位置する端部は、前記タッチパネルの１辺と対向している請求項１に記載の入力装置。
【請求項３】
操作入力部と、
前記操作入力部を跨いで配されるパームレスト部と、
前記操作入力部と前記パームレスト部とが保持される固定部と、を備え、
前記パームレスト部は、前記操作入力部を跨ぐ跨部と、前記跨部の両端にそれぞれ形成され、かつ、前記固定部と接合される第１脚部および第２脚部と、を有し、
前記パームレスト部は、さらに前記固定部と接合される第３脚部を有する入力装置。
【請求項４】
前記第２脚部と前記第３脚部との間の部分における前記固定部からの最大高さは、前記固定部からの前記操作入力部の最大高さより高い請求項３に記載の入力装置。
【請求項５】
操作入力部と、
前記操作入力部を跨いで配されるパームレスト部と、
前記操作入力部と前記パームレスト部とが保持される固定部と、を備え、
前記パームレスト部は、前記操作入力部を跨ぐ跨部と、前記跨部の両端にそれぞれ形成され、かつ、前記固定部と接合される第１脚部および第２脚部と、を有し、
前記第２脚部は、脚内開口部を有する入力装置。
【請求項６】
前記脚内開口部における前記固定部からの最大高さは、前記固定部からの前記操作入力部の最大高さより高い請求項５に記載の入力装置。
【請求項７】
操作入力部と、
前記操作入力部を跨いで配されるパームレスト部と、
前記操作入力部と前記パームレスト部とが保持される固定部と、を備え、
前記パームレスト部は、前記操作入力部を跨ぐ跨部と、前記跨部の両端にそれぞれ形成され、かつ、前記固定部と接合される第１脚部および第２脚部と、を有し、
前記操作入力部は回転操作と多方向移動操作とが可能であり、かつ、前記回転操作と前記多方向移動操作との操作力の大きさが互いに異なる構成を有する入力装置。
【請求項８】
前記操作入力部はさらに押圧操作が可能であり、かつ、前記回転操作、前記多方向移動操作、および前記押圧操作の操作力の大きさが互いに異なる構成を有する請求項７に記載の入力装置。
【請求項９】
前記跨部の最小幅は前記操作入力部の最大幅よりも小さい請求項１、３、５、または７のいずれか１項に記載の入力装置。
【請求項１０】
前記跨部の最小幅は前記第１脚部の最大幅および前記第２脚部の最大幅よりも小さい請求項９に記載の入力装置。
【請求項１１】
前記パームレスト部における少なくとも一部は曲面を有する請求項１、３、５、または７のいずれか１項に記載の入力装置。
【請求項１２】
前記パームレスト部における前記第２脚部に設けられたスイッチをさらに備えた請求項１、３、５、または７のいずれか１項に記載の入力装置。
【請求項１３】
前記操作入力部と電気的に接続される制御部をさらに備え、
前記操作入力部は回転操作と多方向移動操作とが可能な構成を有し、
前記制御部は、前記回転操作または前記多方向移動操作のいずれか一方で前記操作入力部が操作されているとき、他方の操作を無視する請求項１、３、５、または７のいずれか１項に記載の入力装置。
【発明の詳細な説明】
【技術分野】
【０００１】
本開示は、例えば車両に搭載される車載機器の操作を行う入力装置に関するものである。
【背景技術】
【０００２】
従来、操作入力部の操作性を良好に維持し、誤操作を防止するために、操作入力部の上方へ延び出した、曲面を有する板状のパームレスト体を配置した入力装置が提案されている（例えば特許文献１参照）。
【先行技術文献】
【特許文献】
【０００３】
【特許文献１】特開２０１３−９８１３３号公報
【発明の概要】
【０００４】
本開示はユーザが誤操作する可能性をさらに低減した入力装置を提供することを目的とする。
【０００５】
本開示の一態様に係る入力装置は、操作入力部と、操作入力部を跨いで配されるパームレスト部と、操作入力部とパームレスト部とが保持される固定部と、を備え、パームレスト部は、操作入力部を跨ぐ跨部と、跨部の両端にそれぞれ形成され、かつ、固定部と接合される第１脚部および第２脚部と、を有する。
【０００６】
本開示の入力装置は、パームレスト部が操作入力部に跨って配されるため、ユーザが前方を注視しながらブラインドタッチで操作入力部を操作しようとして手を近づけたとしても、意図せず操作してしまう可能性をさらに低減することができる。
【図面の簡単な説明】
【０００７】
【図１】図１は、実施の形態に係る入力装置の斜視図である。
【図２】図２は、実施の形態に係る入力装置の上面図である。
【図３】図３は、実施の形態に係る入力装置の側面図である。
【図４】図４は、実施の形態に係る入力装置の操作入力部の操作方向を説明する上面図である。
【図５】図５は、実施の形態に係る入力装置の断面図である。
【図６】図６は、入力装置１００の斜視図である。
【図７】図７は、入力装置１００の上面図である。
【図８】図８は、入力装置１００の側面図である。
【図９】図９は、他の入力装置１００の斜視図である。
【発明を実施するための形態】
【０００８】
本開示の実施の形態の説明に先立ち、従来の入力装置における問題点を簡単に説明する。特許文献１記載の入力装置は、操作入力部のパームレスト体で覆われていない露出部分が多いため、特にユーザがブラインドタッチで操作入力部を操作しようとした際に、ユーザの意思に反して操作入力部を誤操作してしまう可能性がある。
【０００９】
以下、実施の形態について、図面を参照しながら具体的に説明する。なお、以下では全ての図を通じて同一又は相当する要素には同一の参照符号を付して、その重複する説明を省略する。以下で説明する実施の形態は、いずれも包括的又は具体的な例を示すものである。
【００１０】
（本開示の基礎となった知見）
本発明者は、「背景技術」の欄において記載した入力装置に関して以下の課題が生じることを見出した。
【００１１】
近年、車両の高度な電子化に伴って、多様な車載機器の操作を省スペースで行うために、多機能を有する車両用の入力装置が実用化されている。この入力装置において、操作入力部の操作性を良好に維持し、誤操作を防止するために、操作入力部の上方へ延び出した、曲面を有する板状のパームレスト体を配置した入力装置が開示されている（例えば特許文献１）。
【００１２】
しかしながら、上記特許文献１に記載された入力装置は、良好な操作性を維持するために操作入力部がパームレスト体で覆われていない露出部分が多い構成となっている。したがって、車両のユーザが前方を注視したまま、ブラインドタッチで操作入力部を操作しようとした場合、指先が操作入力部に触れて、意図せず操作してしまう可能性があるという課題があった。
【００１３】
このような課題を解決するために本開示の一態様に係る入力装置は、操作入力部と、操作入力部を跨いで配されるパームレスト部と、操作入力部とパームレスト部とが保持される固定部と、を備え、パームレスト部は、操作入力部を跨ぐ跨部と、跨部の両端にそれぞれ形成され、かつ、固定部と接合される第１脚部および第２脚部と、を有することを特徴とする。
【００１４】
これによれば、入力装置はパームレスト部が操作入力部に跨って配されるため、操作入力部の露出部分が少なくなる。その結果、ユーザが前方を注視しながらブラインドタッチで操作入力部を操作しようとして手を近づけたとしても、指先が操作入力部に触れて、意図せず操作してしまうことに起因する誤操作の可能性をさらに低減することができる。
【００１５】
また、入力装置は、例えば、跨部の最小幅が操作入力部の最大幅より小さくてもよい。
【００１６】
これによれば、ユーザは跨部の両側から指先を操作入力部に当接させることができるので、操作入力部の操作が、より良好となる。
【００１７】
また、入力装置は、例えば、跨部の最小幅が第１脚部の最大幅および第２脚部の最大幅よりも小さくてもよい。
【００１８】
これによれば、第１脚部と第２脚部を固定部に十分な強度で接合することができる。
【００１９】
また、入力装置は、例えば、パームレスト部における少なくとも一部が曲面を有する構成としてもよい。
【００２０】
これによれば、ユーザが掌の少なくとも一部をパームレスト部の曲面に沿って載置できるので、パームレスト部に対する掌の接触面積を増すことが可能となる。そのため、ユーザは、掌をパームレスト部に固定した状態で、指先により操作入力部を良好に操作することができる。
【００２１】
また、入力装置は、例えば、パームレスト部における第２脚部にスイッチを配する構成としてもよい。
【００２２】
これによれば、ユーザが掌をパームレストに載置するだけで、指先がスイッチに誘導されるので、ユーザは指先によりスイッチを良好に操作することができる。
【００２３】
また、入力装置は、例えば、操作入力部と電気的に接続される制御部を備え、操作入力部は回転操作と多方向移動操作とが可能な構成を有してもよい。そして、入力装置の制御部は、回転操作または多方向移動操作のいずれか一方が操作されているとき、他方の操作を無視するようにしてもよい。
【００２４】
これによれば、ユーザが例えば操作入力部を回転操作しているときに誤って操作入力部を移動操作しても、制御部は後から操作された他方の操作、すなわち移動操作を無視するので、誤操作の低減を図ることができる。同様に、ユーザが例えば操作入力部を移動操作しているときに誤って操作入力部を回転操作しても、制御部は後から操作された他方の操作、すなわち回転操作を無視するので、誤操作の低減を図ることができる。
【００２５】
また、入力装置の操作入力部は、例えば、回転操作と多方向移動操作とが可能であり、かつ、回転操作と多方向移動操作との操作力の大きさが互いに異なる構成を有してもよい。
【００２６】
これによれば、回転操作と多方向移動操作のうち、誤操作しやすい方の操作力の大きさを大きくすることができるので、さらに誤操作の可能性を低減することができる。
【００２７】
また、入力装置の操作入力部は、例えば、回転操作と多方向移動操作に加えて、さらに押圧操作が可能であり、かつ、回転操作、多方向移動操作、および押圧操作の操作力の大きさが互いに異なる構成を有してもよい。
【００２８】
これによれば、回転操作、多方向移動操作、および押圧操作のうち、最も誤操作しやすいものの操作力の大きさを最大にし、二番目に誤操作しやすいものの操作力の大きさを二番目に大きくし、最も誤操作しにくいものの操作力の大きさを最小にすることができるので、さらに誤操作の可能性を低減することができる。
【００２９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３０】
（第一の実施の形態）
図１から図５は、第一の実施の形態に係る入力装置１の構成を示す。なお、各図に示すように、入力装置の幅方向をＸ軸方向、長手方向をＹ軸方向、高さ方向をＺ軸方向と定義する。また、図１の矢印で示す方向を、Ｘ軸、Ｙ軸、およびＺ軸の正方向であると定義する。
【００３１】
入力装置１は、車載機器であるナビゲーション装置、エアコン、オーディオ装置（いずれも図示せず）などを操作するためのものであり、例えば車室内のセンターコンソールに設置される。
【００３２】
図１は、入力装置１の斜視図である。入力装置１は、操作入力部１０、パームレスト部２０、固定部３０、スイッチ４０、指紋認証部５０、およびタッチパネル６０を備えている。なお、操作入力部１０には、円柱形状のダイヤル１１が設けられており、ユーザはダイヤル１１を摘んで動かすことにより、操作入力部１０を操作する。また、スイッチ４０、指紋認証部５０、およびタッチパネル６０は、特段に備えられていなくてもよい。
【００３３】
操作入力部１０は、車載機器の操作を行うもので、ここでは、回転操作、多方向移動操作、および押圧操作が可能な構成を備える。なお、詳細は後述するが、回転操作とは、ダイヤル１１を回転方向に回す操作であり、多方向移動操作とは、ダイヤル１１をＸ軸の正負方向、およびＹ軸の正負方向に動かす操作であり、押圧操作とは、ダイヤル１１をＺ軸の負方向に押す操作である。なお、操作入力部１０は、回転操作、多方向移動操作、および押圧操作の全てが可能な構成に限定されるのもではなく、これらのうちの少なくとも１つの操作が可能な構成であればよい。また、多方向移動操作は、上記したＸ軸の正負方向の操作とＹ軸の正負方向の操作、すなわち４方向操作に限定されるものではなく、Ｘ軸およびＹ軸で形成されるＸＹ平面内の任意の方向に操作できる構成であってもよい。また、多方向移動操作は、ＸＹ平面内の任意の方向にスライド操作ができる構成であってもよいし、傾動操作ができる構成であってもよい。さらに、操作入力部１０は、Ｚ軸の負方向への押圧操作に限定されるものではなく、Ｚ軸の正方向への引張操作が可能な構成であってもよい。
【００３４】
パームレスト部２０は、ユーザが掌を載置するものであり、図１に示すように、操作入力部１０を跨いで配される。すなわち、パームレスト部２０は、操作入力部１０を跨ぐ跨部２２と、跨部２２の両端にそれぞれ形成される第１脚部２４および第２脚部２６を有する。ここでは、跨部２２、第１脚部２４、および第２脚部２６を樹脂により一体形成してパームレスト部２０が構成されている。なお、パームレスト部２０は、一体形成構造に限定されるものではなく、跨部２２、第１脚部２４、および第２脚部２６の少なくとも１つが別体であり、それらをネジ止め、はめ込み、接着などによって接合する構造としてもよい。
【００３５】
固定部３０は、直方体形状を有しており、センターコンソール内に設置される。固定部３０には、操作入力部１０とパームレスト部２０が保持される。操作入力部１０は、固定部３０に形成された開口部３２を介してＺ軸の正方向に突出するように配される。そして、操作入力部１０の開口部３２から突出した部分には、ユーザが指で摘んで動かすことができるダイヤル１１が形成されている。なお、ダイヤル１１は、上記したように円柱形状であるが、これに限定されるものではなく、多角柱形状や、側面に凹部を有する柱形状であってもよい。一方、パームレスト部２０は、第１脚部２４、および第２脚部２６が固定部３０と接合される。具体的には、第１脚部２４と第２脚部２６は、固定部３０と、はめ込みによって接合される。これにより、パームレスト部２０は２ヶ所で固定部３０に強固に接合される構成となる。なお、第１脚部２４と第２脚部２６を固定部３０に接合する手段は、はめ込みに限定されるものではなく、ネジ止め、接着などでもよいし、これらを組み合わせて接合してもよい。
【００３６】
スイッチ４０は、パームレスト部２０の第２脚部２６におけるユーザの指が位置する部分に配される。スイッチ４０は、例えば使用頻度の高い操作を割り当てることが可能な構成を有し、ユーザは迅速かつ簡単に操作を行うことができる。
【００３７】
指紋認証部５０は、ユーザの指紋を認証するセキュリティ機能を有する。これにより、ユーザ以外がイグニションスイッチ（図示せず）、操作入力部１０、スイッチ４０などを操作できないように設定することが可能となる。指紋認証部５０は、パームレスト部２０の天面に設けた凹部の底面に配される。これにより、ユーザが手をパームレスト部２０に載置した際に、指紋認証部５０が誤動作する可能性を低減できる。
【００３８】
タッチパネル６０は、スワイプ操作や文字の直接入力操作など、操作入力部１０ではできない操作をユーザが行うためのものである。タッチパネル６０は、図１に示すように、固定部３０のパームレスト部２０が設置される上面側に、第２脚部２６と並設される。具体的には、タッチパネル６０は、パームレスト部２０の第２脚部２６側の端部が、タッチパネル６０の１辺と対向して設置される。また、タッチパネル６０は、図示しないナビゲーション装置などの画面に対応して操作する構成としてもよいし、タッチパネル６０の直下（Ｚ軸の負方向）に画面を配置する構成としてもよい。なお、第一の実施の形態では、いずれの構成であっても、運転中のユーザによる画面を見ながらの操作（文字の直接入力操作など）が制限されている。従って、タッチパネル６０は、図１に示すように、パームレスト部２０に設けたスイッチ４０の、さらに先（Ｙ軸の正方向）に配置している。これにより、ユーザが運転中にブラインドタッチでパームレスト部２０に掌を載置しても、指先がタッチパネル６０に届きにくいため、ユーザがタッチパネル６０に触れてしまい、誤操作をしてしまう可能性を低減することができる。
【００３９】
なお、ユーザが停車中にタッチパネル６０を操作する場合は、ユーザが手首を第２脚部２６の直上に置けばよい。これにより、ユーザの指がタッチパネル６０に届きやすくなるため、タッチパネル６０の良好な操作性を確保することができる。
【００４０】
図２は、入力装置１の上面図である。図２に示すように、パームレスト部２０は、跨部２２が操作入力部１０の上方（Ｚ軸の正方向）に配されるように、操作入力部１０を跨いで固定部３０に保持される。この構成により、ユーザがブラインドタッチで操作入力部１０を操作しようとした際に、パームレスト部２０の、特に第２脚部２６が指先の操作入力部１０への接触を妨げるので、指先が意図せず操作入力部１０のダイヤル１１に触れて誤操作してしまう可能性を低減することができる。
【００４１】
しかし、パームレスト部２０が操作入力部１０の上方に跨って配されるので、操作入力部１０の操作性が低減する可能性がある。そこで、操作入力部１０の操作性を向上するために、パームレスト部２０は以下のような形状を有している。
【００４２】
すなわち、図２に示すように、操作入力部１０およびダイヤル１１は、上面視でＸ軸の正負方向において、一部が露出するように、パームレスト部２０における跨部２２の形状を決定している。具体的には、パームレスト部２０の跨部２２の最小幅Ｗｓは、操作入力部１０の最大幅Ｄｄ（ここでは、ダイヤル１１の直径）よりも小さい形状としている。これにより、ユーザは跨部２２の両側から指先を操作入力部１０のダイヤル１１に当接させることができるので、操作入力部１０の操作が、より良好となる。
【００４３】
さらに、跨部２２の最小幅Ｗｓは第１脚部２４の最大幅Ｗ１、および第２脚部２６の最大幅Ｗ２よりも小さい形状としている。これにより、第１脚部２４と第２脚部２６を固定部３０に充分な強度で固定することができるので、パームレスト部２０に掌を安定して載置でき、指先がほとんどぶれることなく、操作入力部１０のダイヤル１１を操作することが可能となる。
【００４４】
また、パームレスト部２０における掌が載置される部分、具体的には、跨部２２から第１脚部２４に至る部分の少なくとも一部が曲面を有する形状としている。これにより、ユーザが掌の少なくとも一部をパームレスト部２０の曲面に沿って載置できるので、パームレスト部２０に対する掌の接触面積を増すことが可能となる。そのため、ユーザは掌をパームレスト部２０に固定した状態で、指先により操作入力部１０のダイヤル１１を良好に操作することができる。
【００４５】
図３は、入力装置１の側面図である。図３に示すように、操作入力部１０は、固定部３０に保持される。パームレスト部２０は操作入力部１０とダイヤル１１を跨ぐようなアーチ形状を有し、第１脚部２４と第２脚部２６が固定部３０に固定される。
【００４６】
ここで、パームレスト部２０の第１脚部２４におけるＹ軸方向の長さ、すなわち奥行Ｄ１は、第２脚部２６の奥行Ｄ２よりも大きい形状としている。これは、ユーザが掌をパームレスト部２０に載置したとき、第１脚部２４に第２脚部２６よりも大きな応力が印加されるためである。したがって、上記の形状とすることにより、パームレスト部２０は掌が載置された際にも固定部３０に十分な強度で固定される。
【００４７】
次に、操作入力部１０の操作方向の詳細について、図４を用いて述べる。図４は、操作入力部１０の操作方向を説明する上面図である。なお、ここでは、わかりやすくするために、操作入力部１０を跨ぐパームレスト部２０を省略している。
【００４８】
操作入力部１０のダイヤル１１は、上面視にて円形状に形成される。ユーザは、ダイヤル１１に指先を当接させ、軸線Ｌ（ダイヤル１１の円形状における中心を通るＺ軸方向の仮想線）を中心として、図４の円弧形状の矢印に示すように、時計回り、または反時計回りに回転操作を行うことができる。
【００４９】
また、ユーザは、指先でダイヤル１１をＸ軸方向の正負方向、およびＹ軸方向の正負方向にスライドして動かすことができる。したがって、操作入力部１０はＸＹ平面内で４方向にスライド操作をすることが可能な構成を有する。
【００５０】
さらに、ユーザは、ダイヤル１１に指先を当接させ、Ｚ軸の負方向に操作入力部１０のダイヤル１１を押し込む押圧操作を行うことができる。
【００５１】
次に、入力装置１の断面構造について、図５を用いて説明する。図５は、入力装置の断面図である。なお、図５は、図２におけるＡ−Ａ断面図を示す。
【００５２】
入力装置１において、操作入力部１０は、ダイヤル１１、摺動体１２、エンコーダ１３、摺動プレート１４、ばね１５、押圧スイッチ１６、プリント基板１７、ディテクタスイッチ１８、制御部１９の構成部品からなる。なお、ダイヤル１１の詳細については、上述したとおりである。
【００５３】
摺動体１２は、ダイヤル１１を押圧操作した際の動作を押圧スイッチ１６に伝達する構成部品である。エンコーダ１３は、ダイヤル１１を回転操作した際の動作を検出する構成部品である。摺動プレート１４は、ダイヤル１１を多方向移動操作（ここではスライド操作）した際の移動をディテクタスイッチ１８に伝達する構成部品である。ばね１５は、ダイヤル１１をスライド操作した際にダイヤル１１を元の位置に戻すための構成部品である。押圧スイッチ１６は、摺動体１２に押圧されることにより、ダイヤル１１の押圧操作を検出する構成部品である。プリント基板１７は、押圧スイッチ１６や制御部１９などの各種電子部品が実装される構成部品である。ディテクタスイッチ１８は、摺動プレート１４の移動によりダイヤル１１のスライド操作を検出する構成部品であり、摺動プレート１４と係合している。制御部１９は、マイクロコンピュータで構成され、プリント基板１７に実装される。これにより、制御部１９は押圧スイッチ１６を始めとする各種電子部品と電気的に接続される。
【００５４】
次に、操作入力部１０における押圧操作、回転操作、およびスライド操作を行った際の、各構成部品の動作について説明する。
【００５５】
まず、押圧操作について述べる。ユーザが、例えば親指、中指、および薬指でダイヤル１１を摘み、図５におけるＺ軸の負方向へ押し込むと、それに応じて摺動体１２がＺ軸の負方向へ移動する。その結果、摺動体１２がプリント基板１７に実装した押圧スイッチ１６を押す。これにより、制御部１９はダイヤル１１が押圧操作されたと判断する。なお、押圧スイッチ１６には弾性部材が内蔵されており、ユーザは、この弾性部材により押圧の操作感を得る。
【００５６】
次に、回転操作について述べる。ユーザは、例えば親指、中指、および薬指でダイヤル１１を摘み、ダイヤル１１を時計回り、または反時計回りに回転させる。このダイヤル１１の動作は、エンコーダ１３により検出される。制御部１９は、エンコーダ１３からの信号により回転操作を判断する。
【００５７】
次に、スライド操作について述べる。ユーザは、例えば親指、中指、および薬指でダイヤル１１を摘み、Ｘ軸の正負方向、またはＹ軸の正負方向へダイヤル１１をスライド移動させる。このスライド移動に応じて、摺動プレート１４も移動する。その結果、摺動プレート１４と係合したディテクタスイッチ１８がダイヤル１１の移動を検出する。制御部１９は、ディテクタスイッチ１８からの信号により、スライド操作を判断する。なお、操作入力部１０は、ばね１５を有しており、ばね１５の復元力によりダイヤル１１が元の位置に戻るとともに、ユーザへのスライド操作感が付与される。また、ばね１５はゴム材料からなる弾性体であってもよい。
【００５８】
次に、制御部１９の動作について述べる。制御部１９は、上記したように、ダイヤル１１の押圧操作、回転操作、およびスライド操作を判断する。そして、判断した結果に基づいて、図示しない車載機器の操作が行われる。この判断を行う際に、制御部１９は次のような動作を行う。
【００５９】
制御部１９は、回転操作、または多方向移動操作（ここではスライド操作）のいずれか一方が操作されているとき、他方の操作を無視する。これにより、ユーザが例えば操作入力部１０を回転操作しているときに誤って操作入力部１０をスライド操作しても、制御部１９は後から操作された他方の操作、すなわちスライド操作を無視するので、誤操作の低減を図ることができる。同様に、ユーザが例えば操作入力部１０をスライド操作しているときに誤って操作入力部１０を回転操作しても、制御部１９は後から操作された他方の操作、すなわち回転操作を無視するので、誤操作の低減を図ることができる。
【００６０】
なお、同様の動作を押圧操作へ拡張してもよい。この場合、制御部１９は、操作入力部１０の押圧操作、回転操作、およびスライド操作のうち、いずれか１つの操作が行われているときは、他の２つの操作が行われても無視する。これにより、さらなる誤操作の低減を図ることができる。
【００６１】
次に、操作入力部１０の押圧操作、回転操作、およびスライド操作における操作力の大きさについて述べる。
【００６２】
まず、回転操作とスライド操作における操作力の大きさについて説明する。これは、回転操作とスライド操作が、いずれもＸＹ平面内で行われる操作であり、相互に誤操作する可能性が高いためである。
【００６３】
操作入力部１０は、回転操作と多方向移動操作（ここではスライド操作）との操作力の大きさが互いに異なる構成を有する。操作力の大きさは、回転操作については、図示しないクリック感発生機構に内蔵される弾性体の弾性力の大きさ、スライド操作については、ばね１５の弾性力の大きさにより決まる。そのため、互いの弾性力の大きさが異なるように決定することで、操作力の大きさが互いに異なる構成とすることができる。
【００６４】
これにより、回転操作とスライド操作のうち、誤操作しやすいほうの操作力の大きさを大きくすることができるので、さらに誤操作の可能性を低減できる。具体的には、特に運転中のユーザが回転操作を行う際に、同じＸＹ平面内の操作であるスライド操作を意図せずに行ってしまう可能性があるので、スライド操作の操作力の大きさを回転操作の操作カの大きさより大きく決定しておく。これにより、スライド操作が重くなるので、ユーザがスライド操作を行う意思が無いときに、誤ってスライド操作をしてしまう可能性を低減することができる。
【００６５】
なお、同様の構成を押圧操作へ拡張してもよい。すなわち、操作入力部１０は、回転操作、多方向移動操作（ここではスライド操作）、および押圧操作の操作力の大きさが互いに異なる構成を有してもよい。押圧操作の操作力の大きさは、押圧スイッチ１６に内蔵される弾性部材の弾性力の大きさにより決まる。そのため、押圧操作、回転操作、およびスライド操作における弾性力の大きさが互いに異なるように決定することで、操作力の大きさが互いに異なる構成とすることができる。
【００６６】
これにより、回転操作、スライド操作、および押圧操作のうち、最も誤操作しやすいものの操作力の大きさを最大にし、二番目に誤操作しやすいものの操作力の大きさを二番目に大きくし、最も誤操作しにくいものの操作力の大きさを最小にすることができるので、さらに誤操作の可能性を低減できる。具体的には、上記した理由により、スライド操作の操作力の大きさを回転操作の操作力の大きさより大きく決定するとともに、押圧操作の操作力の大きさを、それらよりも大きく決定する。すなわち、運転中のユーザが操作入力部１０をブラインドタッチで操作しようとするとき、手はＺ軸の正の方向から操作入力部１０に向かって降ろされる。このとき、特に親指が、跨部２２により覆われていない操作入力部１０の天面に当接して、意図せず押圧操作を行ってしまう可能性が高くなる。そこで、最も誤操作しやすい押圧操作の操作カの大きさを最大とする。次に、上記した理由より、スライド操作の操作力の大きさを二番目に大きくし、最も誤操作しにくい回転操作の操作力の大きさを最小とする。その結果、誤操作の可能性がさらに低減される。
【００６７】
なお、ここで述べた操作力の大きさの大小関係は一例であり、入力装置１のデザインや取り付け場所などによっては、誤操作しやすい操作の順番が異なる場合がある。この際は、最も誤操作しやすい操作の操作力の大きさが最大に、最も誤操作しにくい操作の操作力の大きさが最小になるように、各操作力の大きさを決定すればよい。
【００６８】
また、誤操作の程度が同等の操作については、それらの操作力の大きさが同等となるよう決定してもよい。
【００６９】
また、操作力の大きさは電磁力などにより可変できるようにしてもよい。これにより、ユーザの癖や好みに応じて操作力の大きさを調整することができるので、よりいっそう誤操作を低減することができる。
【００７０】
以上の構成、動作により、入力装置１は、操作入力部１０を跨ぐようにパームレスト部２０が配置されるため、ユーザがブラインドタッチで操作入力部１０を操作する際に、誤操作を低減することができる。
【００７１】
なお、第一の実施の形態では、パームレスト部２０の長手方向がＹ軸方向となるように配しているが、これに限定されず、取り付け場所に応じて、長手方向がＸＹ平面内で任意の方向となるように配してもよい。また、入力装置１は、ＸＺ面内、およびＹＺ面内で、ユーザに対して、より操作しやすい角度となるように傾けて配置されてもよい。
【００７２】
（第二の実施の形態）
以下、第二の実施の形態について、図面を参照しながら具体的に説明する。なお、以下では全ての図を通じて第一の実施の形態と同一又は相当する要素には同一の参照符号を付して、その重複する説明を省略する。
【００７３】
図６から図８は、第二の実施の形態に係る入力装置１００の構成を示す。なお、各図に示すように、入力装置１００の幅方向をＸ軸方向、長手方向をＹ軸方向、高さ方向をＺ軸方向と定義する。また、図６の矢印で示す方向を、Ｘ軸、Ｙ軸、およびＺ軸の正方向であると定義する。
【００７４】
入力装置１００も、車載機器であるナビゲーション装置、エアコン、オーディオ装置（いずれも図示せず）などを操作するためのものであり、例えば車室内のセンターコンソールに設置される。
【００７５】
図６は、入力装置１００の斜視図である。入力装置１００は、操作入力部７０、パームレスト部８０、固定部３０、およびタッチパネル６０を備えている。なお、操作入力部７０には、円柱形状のダイヤル７１が設けられており、ユーザはダイヤル７１を摘んで動かすことにより、操作入力部７０を操作する。また、第一の実施の形態の指紋認証部５０は、備えていても、備えられていなくてもよい。
【００７６】
操作入力部７０は、第一の実施の形態の操作入力部１０と同様に車載機器の操作を行うもので、ここでは、回転操作、多方向移動操作、および押圧操作が可能な構成を備える。多方向移動操作は、第一の実施の形態で述べた４方向操作のうち、ダイヤル７１のＸＹ平面内におけるＹ軸の正方向の操作を制限している。したがって、第二の実施の形態では、多方向移動操作は３方向操作となる。なお、操作入力部７０は、回転操作、多方向移動操作、および押圧操作の全てが可能な構成に限定されるものではなく、これらのうちの少なくとも１つの操作が可能な構成であればよい。また、多方向移動操作は、上記した３方向操作に限定されるものではなく、４方向操作ができる構成であってもよいし、Ｘ軸およびＹ軸で形成されるＸＹ平面内の任意の方向に操作できる構成であってもよい。また、多方向移動操作は、ＸＹ平面内の任意の方向にスライド操作ができる構成であってもよいし、傾動操作ができる構成であってもよい。さらに、操作入力部７０は、Ｚ軸の負方向への押圧操作に限定されるものではなく、Ｚ軸の正方向への引張操作が可能な構成であってもよい。
【００７７】
パームレスト部８０は、ユーザが掌を載置するものであり、図６に示すように、操作入力部７０を跨いで配される。すなわち、パームレスト部８０は、操作入力部７０を跨ぐ跨部８２と、跨部８２に形成される第１脚部８４、第２脚部８６および第３脚部８８を有する。ここでは、跨部８２、第１脚部８４、第２脚部８６および第３脚部８８を樹脂により一体形成してパームレスト部８０が構成されている。なお、パームレスト部８０は、一体形成構造に限定されるものではなく、跨部８２、第１脚部８４、第２脚部８６および第３脚部８８の少なくとも１つが別体であり、それらをネジ止め、はめ込み、接着などによって接合する構造としてもよい。
【００７８】
固定部３０は、直方体形状を有しており、センターコンソール内に設置される。固定部３０には、操作入力部７０とパームレスト部８０が保持される。操作入力部７０は、固定部３０に形成された開口部９２を介してＺ軸の正方向に突出するように配される。そして、操作入力部７０の開口部９２から突出した部分には、ユーザが指で摘んで動かすことができるダイヤル７１が形成されている。なお、ダイヤル７１は、上記したように円柱形状であるが、これに限定されるものではなく、多角柱形状や、側面に凹部を有する柱形状であってもよい。一方、パームレスト部８０は、第１脚部８４、第２脚部８６および第３脚部８８が固定部３０と接合される。具体的には、第１脚部８４、第２脚部８６および第３脚部８８は、固定部３０と、はめ込みによって接合される。これにより、パームレスト部８０は３ヶ所で固定部３０に強固に接合される構成となる。また、第２脚部８６側の端部、および第３脚部８８側の端部は、タッチパネル６０の一辺にそれぞれ対向するように固定部３０に接合される。なお、第１脚部８４、第２脚部８６および第３脚部８８を固定部３０に接合する手段は、はめ込みに限定されるものではなく、ネジ止め、接着などでもよいし、これらを組み合わせて接合してもよい。
【００７９】
第二の実施の形態では、タッチパネル６０は、スワイプ操作や文字の直接入力操作などの操作に加え、ユーザの指のタッチ本数、またはタッチ回数を判断する機能を備える。タッチパネル６０は、図示しないナビゲーション装置などの画面に対応して操作する構成としてもよいし、タッチパネル６０の直下（Ｚ軸の負方向）に画面を配置する構成としてもよい。また、タッチパネル６０は、図６に示すように、パームレスト部８０に設けた第２脚部８６および第３脚部８８の、さらに先（Ｙ軸の正方向）に配置している。このような構成により、第二の実施の形態では、第一の実施の形態におけるスイッチ４０が配されないので、ユーザがパームレスト部８０に掌を載置すると、指先がタッチパネル６０に届く構成となる。そのため、ユーザが運転中に、例えば指のタッチ本数やタッチ回数に応じた入力操作、具体的には、指のタッチ本数やタッチ回数に対応して予め定義した画面を呼び出す操作などを行うことができる。なお、運転中のタッチパネル６０への誤操作を低減するために、例えば入力装置１００が、運転中にタッチパネル６０に対し、指のタッチ本数が１本のみ、またはタッチ回数が１回のみであると判断した場合は、誤操作であるとして、その操作を無視するようにしてもよい。
【００８０】
図７は、入力装置１００の上面図である。図７に示すように、パームレスト部８０は、跨部８２が操作入力部７０の上方（Ｚ軸の正方向）に配されるように、操作入力部７０を跨いで固定部３０に保持される。この構成により、第一の実施の形態と同様に、誤操作の可能性を低減できる。
【００８１】
しかし、パームレスト部８０が操作入力部７０の上方に跨って配されるので、操作入力部７０の操作性が低減する可能性がある。そこで、操作入力部７０の操作性を向上するために、パームレスト部８０は以下のような形状を有している。
【００８２】
すなわち、図７に示すように、操作入力部７０およびダイヤル７１は、上面視でＸ軸の正負方向とＹ軸の正方向において、一部が露出するように、パームレスト部８０における跨部８２の形状を決定している。具体的には、パームレスト部８０の跨部８２の最小幅Ｗｓ１は、操作入力部７０の最大幅Ｄｄ１（ここでは、ダイヤル７１の直径）よりも小さい形状としている。これにより、ユーザは跨部８２の両側から指先を操作入力部７０のダイヤル７１に当接させることができるので、操作入力部７０の操作が、より良好となる。
【００８３】
さらに、跨部８２の最小幅Ｗｓ１は第１脚部８４の最大幅Ｗ３、および第２脚部８６と第３脚部８８により形成される最大幅Ｗ４よりも小さい形状としている。これにより、第１脚部８４、第２脚部８６および第３脚部８８の３箇所において、パームレスト部８０を固定部３０に充分な強度で固定することができるので、パームレスト部８０に掌を安定して載置でき、指先がほとんどぶれることなく、操作入力部７０のダイヤル７１を操作することが可能となる。
【００８４】
また、パームレスト部８０における掌が載置される部分、具体的には、跨部８２から第１脚部８４に至る部分の少なくとも一部が曲面を有する形状としている。これにより、ユーザが掌の少なくとも一部をパームレスト部８０の曲面に沿って載置できるので、パームレスト部８０に対する掌の接触面積を増すことが可能となる。また、第１脚部８４の表面には、手首を載置できるように、手首の形状に沿って曲面が形成された載置部８５が設けられる。そのため、ユーザは掌をパームレスト部８０に固定した状態で、指先により操作入力部７０のダイヤル７１を良好に操作することができる。
【００８５】
図８は、入力装置１００の側面図である。図８に示すように、操作入力部７０は、固定部３０に保持される。パームレスト部８０は操作入力部７０とダイヤル７１を跨ぐようなアーチ形状を有し、第１脚部８４、第２脚部８６および第３脚部８８が固定部３０に固定される。
【００８６】
ここで、パームレスト部８０の第１脚部８４におけるＹ軸方向の長さ、すなわち奥行Ｄ３は、第２脚部８６および第３脚部８８の奥行Ｄ４よりも大きい形状としている。これは、ユーザが掌をパームレスト部８０に載置したとき、第１脚部８４に、第２脚部８６および第３脚部８８よりも大きな応力が印加されるためである。したがって、上記の形状とすることにより、パームレスト部８０は掌が載置された際にも固定部３０に十分な強度で固定される。
【００８７】
また、載置部８５を形成する曲面は、固定部３０に向かって傾斜が急な部分と傾斜が緩やかな部分を有する。そのため、ユーザは載置部８５に手首を置き、掌を跨部８２に固定した状態で、跨部８２の両側（Ｘ軸正負方向）と、第２脚部８６および第３脚部８８との間（Ｙ軸正方向）の３箇所から指先により操作入力部７０のダイヤル７１を３点保持できる。その結果、ダイヤル７１を良好に操作することができる。
【００８８】
ここで、第２脚部８６と第３脚部８８との間における固定部３０からの最大高さＨ１は、操作入力部７０の固定部３０からの最大高さＨ２より高い。このような構成とすることにより、跨部８２の両側（第１脚部８４と第２脚部８６の間、および第１脚部８４と第３脚部８８の間）に比べ、間隔が狭くなる、第２脚部８６と第３脚部８８との間からも、指先でダイヤル７１を摘みやすくすることができる。
【００８９】
なお、第２脚部８６および第３脚部８８は、第一の実施の形態で説明した第２脚部８６が二股に分かれた形状であってもよい。
【００９０】
次に、操作入力部７０の操作方向の詳細については、以下の点を除いて、第一の実施の形態と同じである。すなわち、ダイヤル７１をＸＹ平面内のＹ軸の正方向の操作は制限されている。これにより、第２脚部８６および第３脚部８８の奥行Ｄ４を小さくすることができるので、タッチパネル６０をダイヤル７１に近づけることができる。
【００９１】
制御部１９は、第一の実施の形態と同じである。よって、仔細な説明は省略する。
【００９２】
なお、第二の実施の形態においても、パームレスト部８０の長手方向がＹ軸方向となるように配しているが、これに限定されず、取り付け場所に応じて、長手方向がＸＹ平面内で任意の方向となるように配してもよい。また、入力装置１００は、ＸＺ面内、およびＹＺ面内で、ユーザに対して、より操作しやすい角度となるように傾けて配置されてもよい。
【００９３】
また、第二の実施の形態では、第一の実施の形態におけるスイッチ４０が設けられない構成となる。そこで、操作入力部７０のスライド操作がスイッチ４０の入力操作に対応する構成としてもよい。すなわち、例えば図２における左端のスイッチ４０が操作入力部７０のＸ軸正方向へのスライド操作に、真中のスイッチ４０が操作入力部７０のＹ軸不方向へのスライド操作に、右端のスイッチ４０が操作入力部７０のＸ軸負方向へのスライド操作に、それぞれ対応する構成とする。これにより、第二の実施の形態においても、スイッチ４０と同等の機能を有することができる。なお、図６、図７における跨部８２の天面には、上記した３つのスライド操作に対応するアイコンが表示されている。
【００９４】
また、図９は他の入力装置１００の斜視図を示す。ここでは、第２脚部８６および第３脚部８８に替わって、第２脚部８６が、固定部３０に接合される部分と跨部８２に接続される部分との間において、脚内開口部８９を有している。したがって、ユーザは脚内開口部８９からダイヤル７１を操作することができる。なお、図９の構成においても、図８で説明したように、脚内開口部８９における固定部３０からの最大高さＨ１は、操作入力部７０の固定部３０からの最大高さＨ２より高い。これにより、指先でダイヤル７１を摘みやすくすることができる。また、図９の構成とすることにより、第２脚部８６の下端面が固定部３０に接合されるため、タッチパネル６０とダイヤル７１の間に壁を設けることができる。その結果、タッチパネル６０の操作中に操作入力部７０を操作してしまったり、逆に、操作入力部７０の操作中にタッチパネル６０を操作してしまったりすることに起因した誤操作の可能性を低減することができる。
【００９５】
以上の構成により入力装置１００は、操作入力部７０を跨ぐようにパームレスト部８０が配置されるため、ユーザの誤操作を低減することができる。さらに、入力装置１００は、Ｙ軸方向からもダイヤル７１の操作が可能なため、ユーザは、ダイヤル７１を３点で保持することができ、回転操作、多方向移動操作、および押圧操作が容易になる。
【産業上の利用可能性】
【００９６】
本開示における入力装置は、誤操作を低減することができるので、車載用の入力装置等として有用である。
【符号の説明】
【００９７】
１，１００  入力装置
１０，７０  操作入力部
１１，７１  ダイヤル
１２  摺動体
１３  エンコーダ
１４  摺動プレート
１５  ばね
１６  押圧スイッチ
１７  プリント基板
１８  ディテクタスイッチ
１９  制御部
２０，８０  パームレスト部
２２，８２  跨部
２４，８４  第１脚部
２６，８６  第２脚部
３０  固定部
３２，９２  開口部
４０  スイッチ
５０  指紋認証部
６０  タッチパネル
８５  載置部
８８  第３脚部
８９  脚内開口部
【図１】
0006627087.tif 000002
【図２】
0006627087.tif 000003
【図３】
0006627087.tif 000004
【図４】
0006627087.tif 000005
【図５】
0006627087.tif 000006
【図６】
0006627087.tif 000007
【図７】
0006627087.tif 000008
【図８】
0006627087.tif 000009
【図９】
0006627087.tif 000010